(57)【要約】【課題】放送受信装置から放送に係る情報を容易に取得することができるようにする。【解決手段】放送を受信し再生するテレビジョン受像機２により受信された情報を取得する通信端末装置１であって、テレビジョン受像機２により無線送信された信号を受信する受信部７と、該受信部７により受信された信号から情報を抽出するデコーダ８と、該デコーダ８により抽出された情報が記憶されるメモリ９と、該メモリ９に記憶されている情報を選択するコントローラ４と、デコーダ８により抽出された情報又はコントローラ４により選択された情報を提示する表示／音声再生部１０と、を有する。【選択図】図１
2006101356.tif 000002
【特許請求の範囲】
【請求項１】
放送を受信し再生する放送受信装置により受信された情報を取得する通信端末装置であって、
前記放送受信装置により無線送信された信号を受信する受信手段と、
該受信手段により受信された信号から情報を抽出する抽出手段と、
該抽出手段により抽出された情報が記憶される記憶手段と、
該記憶手段に記憶されている情報を選択する情報選択手段と、
前記抽出手段により抽出された情報又は前記情報選択手段により選択された情報を提示する提示手段と、
を有することを特徴とする通信端末装置。
【請求項２】
放送を受信し再生する放送受信装置により受信された情報を取得する通信端末装置であって、
前記放送受信装置により無線送信された信号を受信する受信手段と、
該受信手段により受信された信号から情報を抽出する抽出手段と、
該抽出手段により抽出された情報が記憶される記憶手段と、
該記憶手段に記憶されている情報を選択する情報選択手段と、
前記抽出手段により抽出された情報又は前記情報選択手段により選択された情報を提示する提示手段と、
前記抽出手段により抽出された情報又は前記情報選択手段により選択された情報を含む信号を送信する第１の送信手段と、
を有することを特徴とする通信端末装置。
【請求項３】
前記放送受信装置を制御するコマンド信号を生成する生成手段と、
該生成手段により生成されたコマンド信号を無線送信する第２の送信手段と
前記生成手段により生成されるコマンド信号を選択するコマンド信号選択手段と、
を更に有することを特徴とする請求項１又は２記載の通信端末装置。
【請求項４】
利用者により操作される操作部材と、
該操作部材が操作されたタイミングで、前記受信手段による前記放送受信装置により無線送信された信号の受信を開始させる情報キャプチャー手段と、
を更に有することを特徴とする請求項１乃至３の何れか一項記載の通信端末装置。
【請求項５】
利用者により操作される操作部材と、
前記受信手段により受信された、前記放送受信装置により無線送信された信号から前記抽出手段により抽出された情報を、前記放送受信装置により再生される放送に対して遅れて、前記提示手段に提示させ、前記操作部材が操作されたタイミングで、前記提示手段に提示されている情報を前記記憶手段に記憶させる情報キャプチャー手段と、
を更に有することを特徴とする請求項１乃至３の何れか一項記載の通信端末装置。
【請求項６】
前記受信手段により受信される、前記放送受信装置により無線送信された信号は、放送本体情報と該放送本体情報に関する付加情報とを含み、
前記放送本体情報は、静止画情報、動画情報、音声情報、テキスト情報、外部装置を制御するコントロールコード情報のうちの少なくとも一つを含み、
前記付加情報は、前記放送本体情報の種類に関する情報、情報提供者情報、著作権情報、情報提供日時情報、情報の送信先情報、情報のサイズ情報、情報の適合機器情報、情報の作成・更新日時情報、前記放送本体情報のインデックス情報、情報の名称情報のうちの少なくとも一つを含み、
前記提示手段は、前記放送本体情報が静止画情報、動画情報、テキスト情報の場合は、前記静止画情報、前記動画情報、前記テキスト情報を表示し、前記放送本体情報が音声情報の場合は前記音声情報を音声再生する、
ことを特徴とする請求項１乃至５の何れか一項記載の通信端末装置。
【請求項７】
画像を撮像する撮像手段と、
画像取得を可能にする画像取得モード、又は前記放送受信装置により無線送信された信号に含まれる情報を取得可能にする情報取得モードの何れかを選択するモード選択手段と、
を更に有し、
前記撮像手段により撮像された画像は、前記記憶手段に記憶される、
ことを特徴とする請求項１乃至６の何れか一項記載の通信端末装置。
【請求項８】
前記撮像手段により撮像された画像又は前記記憶手段に記憶された画像を表示する表示手段、
を更に有することを特徴とする請求項７記載の通信端末装置。
【請求項９】
前記モード選択手段は、前記放送受信装置により無線送信された信号が前記受信手段により受信されている場合には、前記情報取得モードを自動的に選択する、
ことを特徴とする請求項７又は８記載の通信端末装置。
【請求項１０】
前記記憶手段は着脱自在である、
ことを特徴とする請求項１乃至９の何れか一項記載の通信端末装置。
【請求項１１】
前記受信手段、前記第１の送信手段、及び前記第２の送信手段のうちの複数は、一体として構成される、
ことを特徴とする請求項２乃至１０の何れか一項記載の通信端末装置。
【請求項１２】
放送を受信し再生する放送受信装置と通信端末装置とを含む情報取得システムであって、
前記放送受信装置は、受信した放送を構成する情報を含む信号を無線送信する送信手段を有し、
前記通信端末装置は、前記請求項１乃至１１の何れか一項に記載の通信端末装置であり、該通信端末装置の受信手段は、前記放送受信装置の送信手段により無線送信された信号を受信する、
ことを特徴とする情報取得システム。
【請求項１３】
前記放送受信装置はテレビジョン受像装置である、
ことを特徴とする請求項１２記載の情報取得システム。
【請求項１４】
前記放送を構成する情報は、映像と音声のうちの少なくとも一つを含む視聴情報と該視聴情報に付属する付属情報とを含み、
前記放送受信装置の送信手段は、前記視聴情報と前記付属情報のうちの少なくとも一つを無線送信する、
ことを特徴とする請求項１２又は１３記載の情報取得システム。
【請求項１５】
前記付属情報は、画像情報、音声情報、文字情報、外部装置を制御するコントロールコード情報のうちの少なくとも一つを含む、
ことを特徴とする請求項１４記載の情報取得システム。
【請求項１６】
前記テレビジョン受像装置は、
所定のタイミングで静止画を生成する静止画生成手段を有し、
前記テレビジョン受像装置の送信手段は、前記静止画生成手段により生成された静止画を前記視聴情報として無線送信する、
ことを特徴とする請求項１４又は１５記載の情報取得システム。
【請求項１７】
前記通信端末装置は、
前記抽出手段により抽出された前記視聴情報と前記付属情報である文字情報とを関連付ける関連付け手段を有し、
該関連付け手段により関連付けされた前記視聴情報と前記文字情報は、前記記憶手段に記憶され、
前記情報提示手段は、前記関連付けされた前記視聴情報と前記文字情報とを同時に提示する、
ことを特徴とする請求項１５又は１６項記載の情報取得システム。
【請求項１８】
前記通信端末装置の第１の送信手段は、当該通信端末装置の受信手段により受信された前記コントロールコード情報を、送信する、
ことを特徴とする請求項１５乃至１７の何れか一項記載の情報取得システム。
【請求項１９】
前記放送受信装置の送信手段は、指向性を有し、信号を特定方向に無線送信する、
ことを特徴とする請求項１２乃至１８の何れか一項記載の情報取得システム。
【請求項２０】
前記放送受信装置の送信手段は、赤外線を含む光波、超音波を含む音波、又は電波の何れか一つを輻射して信号の無線送信を行う、
ことを特徴とする請求項１９記載の情報取得システム。
【請求項２１】
放送を受信し再生する放送受信装置により受信された情報を取得する通信端末装置の情報取得方法であって、
前記放送受信装置により無線送信された信号を受信し、
該受信した信号から情報を抽出し、
該抽出した情報を記憶手段に記憶し、
前記記憶手段に記憶されている情報を選択し、
前記受信した信号から抽出した情報又は前記選択した情報を提示する、
ことを特徴とする通信端末装置の情報取得方法。
【請求項２２】
放送を受信し再生する放送受信装置により受信された情報を取得する通信端末装置の情報取得方法であって、
前記放送受信装置により無線送信された信号を受信し、
該受信した信号から情報を抽出し、
該抽出した情報を記憶手段に記憶し、
前記記憶手段に記憶されている情報を選択し、
前記受信した信号から抽出した情報又は前記選択した情報を含む信号を送信する、
ことを特徴とする通信端末装置の情報取得方法。
【発明の詳細な説明】
【技術分野】
【０００１】
本発明は、他の装置から所望のデータを取得する通信端末装置とそれを含む情報取得システムに関する。
【背景技術】
【０００２】
従来、各種放送機関からの放送を受信し再生する放送受信装置として、いわゆるテレビやラジオ等がある。利用者は、これらの放送受信装置を用いることにより、各種放送機関からの放送を視聴することができるものである。
【発明の開示】
【発明が解決しようとする課題】
【０００３】
ところで、利用者がこのような放送受信装置を用いて放送を視聴しているときに、必要に応じて、視聴中の放送に係る情報を容易に取得し、またその取得した情報を容易に他の装置へ送信するようにした技術は開示されていない。
【０００４】
本発明は、上記実情に鑑み、放送受信装置から放送に係る情報を容易に取得し、またその取得した情報を容易に他の装置へ送信することができる、通信端末装置、情報取得システム、及び情報取得方法を提供することを目的とする。
【課題を解決するための手段】
【０００５】
上記目的を達成するため、本発明の第１の態様に係る通信端末装置は、放送を受信し再生する放送受信装置により受信された情報を取得する通信端末装置であって、前記放送受信装置により無線送信された信号を受信する受信手段と、該受信手段により受信された信号から情報を抽出する抽出手段と、該抽出手段により抽出された情報が記憶される記憶手段と、該記憶手段に記憶されている情報を選択する情報選択手段と、前記抽出手段により抽出された情報又は前記情報選択手段により選択された情報を提示する提示手段と、を有するものである。
【０００６】
上記の構成によれば、放送受信装置から無線送信された信号を受信し、その受信した信号から情報を抽出することにより、放送受信装置が再生中の放送に係る情報を取得することが可能になる。また、取得した情報を、記憶手段に記憶させることや提示手段に提示させることも可能になる。
【０００７】
また、本発明の第２の態様に係る通信端末装置は、放送を受信し再生する放送受信装置により受信された情報を取得する通信端末装置であって、前記放送受信装置により無線送信された信号を受信する受信手段と、該受信手段により受信された信号から情報を抽出する抽出手段と、該抽出手段により抽出された情報が記憶される記憶手段と、該記憶手段に記憶されている情報を選択する情報選択手段と、前記抽出手段により抽出された情報又は前記情報選択手段により選択された情報を提示する提示手段と、前記抽出手段により抽出された情報又は前記情報選択手段により選択された情報を含む信号を送信する第１の送信手段と、を有するものである。
【０００８】
上記の構成によれば、第１の態様に係る効果に加えて、更に、取得した情報を、他の装置へ送信することが可能になる。
また、本発明の第３の態様に係る通信端末装置は、前記第１又は２の態様において、前記放送受信装置を制御するコマンド信号を生成する生成手段と、該生成手段により生成されたコマンド信号を無線送信する第２の送信手段と、前記生成手段により生成されるコマンド信号を選択するコマンド信号選択手段と、を更に有するものである。
【０００９】
この構成によれば、更に、所望のコマンド信号を生成し放送受信装置へ送信することにより、放送受信装置を制御することが可能になる。
また、本発明の第４の態様に係る通信端末装置は、前記第１乃至３の何れか一つの態様において、利用者により操作される操作部材と、該操作部材が操作されたタイミングで、前記受信手段による前記放送受信装置により無線送信された信号の受信を開始させる情報キャプチャー手段と、を更に有するものである。
【００１０】
この構成によれば、更に、操作部材を操作したタイミングで、放送受信装置から無線送信された信号の受信を開始させることが可能になる。
また、本発明の第５の態様に係る通信端末装置は、前記第１乃至３の何れか一つの態様において、利用者により操作される操作部材と、前記受信手段により受信された、前記放送受信装置により無線送信された信号から前記抽出手段により抽出された情報を、前記放送受信装置により再生される放送に対して遅れて、前記提示手段に提示させ、前記操作部材が操作されたタイミングで、前記提示手段に提示されている情報を前記記憶手段に記憶させる情報キャプチャー手段と、を更に有するものである。
【００１１】
この構成によれば、更に、放送受信装置により再生される放送に対して遅れて提示手段により提示（例えば表示等）されている情報を、操作部材を操作したタイミングで、取得することが可能になる。
【００１２】
また、本発明の第６の態様に係る通信端末装置は、前記第１乃至５の何れか一つの態様において、前記受信手段により受信される、前記放送受信装置により無線送信された信号は、放送本体情報と該放送本体情報に関する付加情報とを含み、前記放送本体情報は、静止画情報、動画情報、音声情報、テキスト情報、外部装置を制御するコントロールコード情報のうちの少なくとも一つを含み、前記付加情報は、前記放送本体情報の種類に関する情報、情報提供者情報、著作権情報、情報提供日時情報、情報の送信先情報、情報のサイズ情報、情報の適合機器情報、情報の作成・更新日時情報、前記放送本体情報のインデックス情報、情報の名称情報のうちの少なくとも一つを含み、前記提示手段は、前記放送本体情報が静止画情報、動画情報、テキスト情報の場合は、前記静止画情報、前記動画情報、前記テキスト情報を表示し、前記放送本体情報が音声情報の場合は前記音声情報を音声再生する、ものである。
【００１３】
また、本発明の第７の態様に係る通信端末装置は、前記第１乃至６の何れか一つの態様において、画像を撮像する撮像手段と、画像取得を可能にする画像取得モード、又は前記放送受信装置により無線送信された信号に含まれる情報を取得可能にする情報取得モードの何れかを選択するモード選択手段と、を更に有し、前記撮像手段により撮像された画像は、前記記憶手段に記憶される、ものである。
【００１４】
この構成によれば、更に、通信端末装置を、いわゆるデジタルカメラとして使用することが可能になる。
また、本発明の第８の態様に係る通信端末装置は、前記第７の態様において、前記撮像手段により撮像された画像又は前記記憶手段に記憶された画像を表示する表示手段、を更に有するものである。
【００１５】
この構成によれば、更に、撮像した画像を表示することが可能になる。
また、本発明の第９の態様に係る通信端末装置は、前記第７又は８の態様において、前記モード選択手段は、前記放送受信装置により無線送信された信号が前記受信手段により受信されている場合には、前記情報取得モードを自動的に選択する、ものである。
【００１６】
この構成によれば、更に、放送受信装置から送信された信号が受信されたときには、自動的に情報取得モードへ切り替えることが可能になる。
また、本発明の第１０の態様に係る通信端末装置は、前記第１乃至９の何れか一つの態様において、前記記憶手段は着脱自在である、ものである。
【００１７】
また、本発明の第１１の態様に係る通信端末装置は、前記第２乃至１０の何れか一つの態様において、前記受信手段、前記第１の送信手段、及び前記第２の送信手段のうちの複数は、一体として構成される、ものである。
【００１８】
また、本発明の第１２の態様に係る情報取得システムは、放送を受信し再生する放送受信装置と通信端末装置とを含む情報取得システムであって、前記放送受信装置は、受信した放送を構成する情報を含む信号を無線送信する送信手段を有し、前記通信端末装置は、前記第１乃至１１の何れか一つの態様の通信端末装置であり、該通信端末装置の受信手段は、前記放送受信装置の送信手段により無線送信された信号を受信する、ものである。
【００１９】
上記の構成によれば、通信端末装置は、放送受信装置から、無線送信された信号に含まれる、放送を構成する情報を取得することが可能になる。
また、本発明の第１３の態様に係る情報取得システムは、前記第１２の態様において、前記放送受信装置はテレビジョン受像装置である、ものである。
【００２０】
また、本発明の第１４の態様に係る情報取得システムは、前記第１２又は１３の態様において、前記放送を構成する情報は、映像と音声のうちの少なくとも一つを含む視聴情報と該視聴情報に付属する付属情報とを含み、前記放送受信装置の送信手段は、前記視聴情報と前記付属情報のうちの少なくとも一つを無線送信する、ものである。
【００２１】
また、本発明の第１５の態様に係る情報取得システムは、前記第１４の態様において、前記付属情報は、画像情報、音声情報、文字情報、外部装置を制御するコントロールコード情報のうちの少なくとも一つを含む、ものである。
【００２２】
また、本発明の第１６の態様に係る情報取得システムは、前記第１４又は１５の態様において、前記テレビジョン受像装置は、所定のタイミングで静止画を生成する静止画生成手段を有し、前記テレビジョン受像装置の送信手段は、前記静止画生成手段により生成された静止画を前記視聴情報として無線送信する、ものである。
【００２３】
この構成によれば、更に、通信端末装置は、視聴情報として、テレビジョン受像機にて所定のタイミングで生成された静止画を取得することができる。
また、本発明の第１７の態様に係る情報取得システムは、前記第１５又は１６の態様において、前記通信端末装置は、前記抽出手段により抽出された前記視聴情報と前記付属情報である文字情報とを関連付ける関連付け手段を有し、該関連付け手段により関連付けされた前記視聴情報と前記文字情報は、前記記憶手段に記憶され、前記情報提示手段は、前記関連付けされた前記視聴情報と前記文字情報とを同時に提示する、ものである。
【００２４】
この構成によれば、更に、関連している情報を関連付けて記憶させることが可能になり、また関連付けされた情報を同時に提示させることが可能になる。
また、本発明の第１８の態様に係る情報取得システムは、前記第１５乃至１７の何れか一つの態様において、前記通信端末装置の第１の送信手段は、当該通信端末装置の受信手段により受信された前記コントロールコード情報を、送信する、ものである。
【００２５】
また、本発明の第１９の態様に係る情報取得システムは、前記第１２乃至１８の何れか一つの態様において、前記放送受信装置の送信手段は、指向性を有し、信号を特定方向に無線送信する、ものである。
【００２６】
また、本発明の第２０の態様に係る情報取得システムは、前記第１９の態様において、前記放送受信装置の送信手段は、赤外線を含む光波、超音波を含む音波、又は電波の何れか一つを輻射して信号の無線送信を行う、ものである。
【００２７】
また、本発明は、これらの通信端末装置及び情報取得システムに限らず、情報取得方法として構成することも可能である。
【発明の効果】
【００２８】
本発明によれば、放送を受信し再生する放送受信装置から、その放送に係る情報を容易に取得することができ、また取得した情報を容易に他の装置へ送信することができる。
【発明を実施するための最良の形態】
【００２９】
以下、本発明の実施例について図面を参照しながら説明する。
【実施例１】
【００３０】
図１は、本発明の第１の構成に係る、通信端末装置とテレビジョン受像機を含む情報取得システムの機能ブロック図である。
同図のシステムにおいて、通信端末装置１は、放送受信装置の一例であるテレビジョン受像機２から放送に係る情報を取得する機能、その取得した情報を他の装置へ送信する機能、及びテレビジョン受像機２を制御する機能等を備えた、携帯型の通信端末装置である。また、テレビジョン受像機２は、一般のテレビジョン受像機が有する機能に加えて、放送機関から受信中の放送に係る情報を送信する機能等を備えた装置である。
【００３１】
通信端末装置１は、利用者により操作される各種の操作部材を有し各種の入力指示を受け付ける操作部３と、内部メモリ（不図示）に記憶されているコントロールプログラムを読み出し実行することにより当該通信端末装置１の全体の動作を制御するコントローラ４と、テレビジョン受像機２を制御する各種のコマンド信号（コントロール信号ともいう）を生成するコマンド生成部５と、コマンド生成部５により生成されたコマンド信号を無線送信する送信部６と、テレビジョン受像機２から無線送信された信号を受信する受信部７と、受信部７により受信された信号をデコードし情報を抽出するデコーダ８と、デコーダ８により抽出された情報が記憶される着脱自在のメモリ（記録メディアともいう）９と、メモリ９に記憶された情報或いはデコーダ８により抽出された情報を表示、音声再生、或いは表示及び音声再生する表示／音声再生部１０と、メモリ９に記憶されている情報をコネクタ１２に接続されている他の装置へ送信可能にするための通信インターフェース１１等を有する。
【００３２】
尚、表示／音声再生部１０は、提示手段の一例である。また、通信端末装置１において、送信部６と受信部７を、単体の通信部として構成することも可能である。また、送信部６を、信号を特定方向に無線送信する指向性を有したものとし、赤外線を含む光波、超音波を含む音波、又は電波の何れか一つを輻射して信号の無線送信を行うものとして構成することも可能である。また、受信部７を、特定方向から無線送信された信号を受信する指向性を有したものとして構成することも可能である。
【００３３】
一方、テレビジョン受像機２は、通信端末装置１から無線送信されたコマンド信号を受信する受信部１３と、受信部１３により受信されたコマンド信号のコマンド解析を行いその解析結果をコントローラ１５へ通知するコマンド解析部１４と、内部メモリ（不図示）に記憶されているコントロールプログラムを読み出し実行することにより当該テレビジョン受像機２の全体の動作を制御するコントローラ１５と、アンテナ１６を介して一の放送機関から放送を受信する受信部１７と、受信部１７により受信された放送を基に音声処理を行い音声情報を得る音声処理部１８と、音声処理部１８に得られた音声情報を基に音声を再生する音声再生部１９と、受信部１７により受信された放送を基に映像処理を行い映像情報を得る映像処理部２０と、映像処理部２０により得られた映像情報を基に映像を表示する映像表示部２１と、受信部１７により受信された放送から該放送を構成する情報を抽出する情報抽出部２２と、情報抽出部２２により抽出された情報をエンコードするエンコーダ２３と、エンコーダ２３によりエンコードされた情報を含む信号を無線送信する送信部２４等を有する。尚、送信部２４は、指向性を有し、信号を特定方向に無線送信するものであり、赤外線を含む光波、超音波を含む音波、又は電波の何れか一つを輻射して信号の無線送信を行うものである。
【００３４】
尚、テレビジョン受像機２において、受信部１３と送信部２４を、単体の通信部として構成することも可能である。また、受信部１３を、特定方向から無線送信された信号を受信する指向性を有したものとして構成することも可能である。
【００３５】
次に、上述した情報取得システムの各種動作について説明する。
尚、以降に説明する各種動作において、通信端末装置１にて行われる動作は、コントローラ４の制御の基に行われるものであり、テレビジョン受像機２にて行われる動作は、コントローラ１５の制御の基に行われるものである。
【００３６】
まず始めに、通信端末装置１が、テレビジョン受像機２から、放送に係る情報を取得する情報取得動作について説明する。
利用者が、テレビジョン受像機２を介して、所望の放送を視聴中であるときに、通信端末装置１のキャプチャーボタン（操作部３が有するボタン）を押下すると、その時点の放送に係る情報を取得する指示が行われ、次のような情報取得動作を開始する。
【００３７】
まず、放送に係る情報を要求するコマンド信号がコマンド生成部５により生成され、そのコマンド信号が送信部６により無線送信される。また、その情報取得指示が行われたタイミング（キャプチャーボタンが押下されたタイミング）で、受信部７による、テレビジョン受像機２から無線送信される信号の受信を開始する。
【００３８】
続いて、テレビジョン受像機２において、その送信部６から無線送信されたコマンド信号が受信部１３により受信されると、そのコマンド信号がコマンド解析部１４によりコマンド解析される。そして、そのコマンド信号が放送に係る情報を要求するコマンド信号である解析結果が取得されると、受信部１７によりアンテナ１６を介して受信されている放送から、その放送を構成する情報が情報抽出部２２により抽出され、その抽出された情報がエンコーダ２３によりエンコードされる。そして、そのエンコードにより得られた信号、すなわち、放送を構成する情報を含む信号が送信部２４により無線送信される。
【００３９】
尚、放送を構成する情報は、放送本体情報と該放送本体情報に関する付加情報とを含むものであり、放送本体情報は、静止画情報、動画情報、音声情報、テキスト情報、外部装置を制御するコントロールコード情報のうちの少なくとも一つを含み、また付加情報は、放送本体情報の種類に関する情報、情報提供者情報、著作権情報、情報提供日時情報、情報の送信先情報、情報のサイズ情報、情報の適合機器情報、情報の作成・更新日時情報、放送本体情報のインデックス情報、情報の名称情報のうちの少なくとも一つを含むものである。
【００４０】
又は、放送を構成する情報は、映像と音声のうちの少なくとも一つを含む視聴情報と該視聴情報に付属する付属情報とを含むものである。例えば、テレビジョン受像機２にて所定のタイミングで生成された静止画を、視聴情報とすることも可能である。また、付属情報は、画像情報、音声情報、文字情報、外部装置を制御するコントロールコード情報のうちの少なくとも一つを含むものである。
【００４１】
尚、送信部２４により無線送信される信号に含まれる放送を構成する情報は、少なくともこれらの情報のうちの一つ又は複数であっても良い。
続いて、通信端末装置１において、その送信部２４から無線送信された信号が受信部７により受信されると、その信号がデコーダ８によりデコードされると共に、その信号から前述の放送を構成する情報が抽出され、その抽出された情報がメモリ９に記憶（保存）される。
【００４２】
ここで、デコーダ８により抽出された情報が、前述の放送本体情報と付加情報である場合、又は前述の視聴情報と付属情報である場合には、これらが関連付けされてメモリ９に記憶される。
【００４３】
尚、メモリ９に記憶された情報は、操作部３を介して行われる、利用者による情報選択指示や表示／音声再生指示に応じて、表示／音声再生部１０により、その表示、音声再生、或いは表示及び音声再生（以下単に「表示等」という）を行うことが可能になっている。但し、関連付けされている情報については、その関連付けされている両者の情報を同時に表示等するようになっている。また、表示／音声再生部１０は、必要に応じて、デコーダ８により抽出された情報を、そのまま、表示等することも可能である。
【００４４】
このようにして行われる情報取得動作により、利用者は、テレビジョン受像機２を介して放送を視聴しているときに、必要に応じて、通信端末装置１のキャプチャーボタンを押下することによって、その時点の放送に係る情報を容易に取得することができる。
【００４５】
次に、このようにしてメモリ９に記憶された情報を他の装置へ送信する動作について説明する。
図２は、その動作に係るフローチャートを示した図である。
【００４６】
尚、本動作においては、メモリ９のことを記録メディア９と称す。
本動作では、まず、記録メディア９に記憶されている情報の中から利用者の望む情報が選択／取得される（Ｓ１）。尚、このＳ１の詳細については、図３又は図４(a),(b) を用いて後述する。
【００４７】
続いて、利用者の指示に応じて、送信先が選択される（Ｓ２）。尚、このＳ２の送信先の選択は、利用者が操作部３を介して指示を行うことにより、予め内部メモリ（不図示）に記憶されている送信先情報に基づいて送信先が表示され、その中から所望の送信先が選択されることによって、行われる。
【００４８】
続いて、Ｓ１で選択／取得された情報を基に、Ｓ２で選択された送信先となる装置（相手機器）に送信可能な形式のデータが生成される（Ｓ３）。
続いて、Ｓ３で生成されたデータが、Ｓ２で選択された送信先へ送信される（Ｓ４）。尚、このＳ４の送信は、送信部６により行われるものであっても良いし、通信インターフェース１１及びコネクタ１２を介して行われるものであっても良い。
【００４９】
図３は、Ｓ１の選択／取得動作に係るフローチャートを示した図である。
同図に示した選択／取得動作では、まず、記録メディア９に記憶されている情報の中から先頭データとなる情報が選択され（Ｓ５）、その選択された情報が記録メディア９から読み出される（Ｓ６）。
【００５０】
続いて、その読み出された情報が、表示／音声再生部１０により、表示等される（Ｓ７）。尚、前述のように、読み出された情報が関連付けされた情報である場合には、その関連付けされている両者の情報が同時に表示等される。又は、読み出された情報が、コントロールコード情報といった機器制御用データである場合には、その詳細情報が表示／音声再生部１０により表示される（Ｓ７）。尚、このような情報の識別は、情報内に含まれる種別情報やファイル拡張子等により行う。また、情報内には、種別情報の他、名称情報、その他詳細情報等が含まれ、後述する情報のリストアップ時等に用いられる。
【００５１】
続いて、ＯＫキー（操作部３に含まれるキー）が押下されたか否かが判定され（Ｓ８）、その判定結果がＹｅｓの場合には、この時に表示／音声再生部１０により、表示等されている情報が選択／取得され、本動作が終了する。
【００５２】
一方、Ｓ８の判定結果がＮｏの場合には、カーソルキー（操作部３に含まれるキー）の押下に応じて、記録メディア９に記憶されている情報の中から、Ｓ６で読み出された情報の次のデータとなる情報、又はその前のデータとなる情報が選択され（Ｓ９）、Ｓ６へ戻る。
【００５３】
尚、このような情報の選択／取得動作は、他の動作によっても行うことができる。
図４(a),(b) は、他の選択／取得動作に係り、同図(a) はそのフローチャートを示した図、同図(b) は、同図(a) の動作中に表示される選択画面の一例を示した図である。
【００５４】
同図(a) に示した選択／取得動作では、まず、記録メディア９に記憶されている情報が、表示／音声再生部１０により、リストアップ表示される（Ｓ１０）。
同図(b) は、この時にリストアップ表示される選択画面の一例である。
【００５５】
本例は、記録メディア９に記憶されている情報の中から、情報の作成日時順に、５つの情報がリストアップ表示された例である。このリストアップ表示では、情報毎に、当該情報の作成日時情報、情報提供者情報、名称情報（放送番組名の情報）、種類に関する情報が表示されている。例えば、１つめの情報については、作成日時情報として”６／３  １４：０５”、情報提供者情報として”放送局１”、名称情報として”今日の料理”、種類に関する情報として”レシピ”が表示されている。また、選択画面には、カーソルキー操作に応じて移動するものであって選択対象となる情報を指示するカーソル２５も表示されている。
【００５６】
尚、記録メディア９に、６つ以上の情報が記憶されていたときには、カーソルキー操作によりカーソル２５を移動させ、この選択画面には表示されていない１つめより前の情報や５つめよりも後の情報を表示させることもできる。また、別のキー（操作部３に含まれるキー）の操作により、選択画面に表示されている５つの情報を、ページ毎、すなわち５つの情報毎に、変更表示させるようにすることも可能である。
【００５７】
続いて、このようなリストアップ表示が行われているときに、キー操作の入力を受け付け、受け付けたキー操作が、カーソルキー、再生キー（操作部３に含まれるキー）、又はＯＫキーの何れであったかが判定される（Ｓ１１）。
【００５８】
このＳ１１において、受け付けたキー操作がカーソルキー操作であった場合には、そのカーソルキー操作に応じて、選択画面上のカーソル２５が移動し（Ｓ１２）、Ｓ１１へ戻る。
【００５９】
又は、Ｓ１１において、受け付けたキー操作が再生キー操作であった場合には、この時に選択画面上のカーソル２５により指示されている情報が記録メディア９から読み出され（Ｓ１３）、その読み出された情報が、表示／音声再生部１０により、表示等される（Ｓ１４）。尚、前述のように、読み出された情報が関連付けされた情報である場合には、その関連付けされている両者の情報が同時に表示等される。又は、読み出された情報が、コントロールコード情報である機器制御用データである場合には、その詳細情報が表示／音声再生部１０により表示される（Ｓ１４）。そして、Ｓ１１へ戻る。
【００６０】
又は、Ｓ１１において、受け付けたキー操作がＯＫキーであった場合には、この時に選択画面上のカーソル２５により指示されている情報が選択され記録メディア９から読み出され（Ｓ１５）、取得される。
【００６１】
このようにして行われる動作、すなわち、記録メディア９に記憶されている所望の情報を、所望の他の装置へ送信する動作により、例えば、記録メディア９に記憶されている情報の中から、料理番組の放送中に取得された、放送を構成する情報に含まれる、電子レンジを制御するコントロールコード情報（電子レンジの調理時間等を設定する情報）が選択／取得され、送信先として電子レンジが選択され、対応するデータが生成・送信されることによって、電子レンジに、そのコントロールコード情報に応じた制御を行わすことが可能になる。尚、コントロールコード情報は、電子レンジの他、炊飯器、ミシン、電子ピアノ等、種々の外部装置を制御するものが考えられる。
【００６２】
或いは、このような動作によって、記録メディア９の空容量が少ないとき等に、記録メディア９に記憶されている情報を他の記録装置に送信して、記録メディア９の空容量を確保するようにすることも可能である。
【００６３】
また、本動作では、記録メディア９に記憶されている情報を、選択された送信先へ送信するものであったが、予め送信先を選択しておき、デコーダ８により抽出された情報を、そのまま、その選択先へ送信するように構成することも可能である。
【００６４】
次に、通信端末装置１が、テレビジョン受像機２を制御する動作について説明する。
図５(a),(b),(c) は、本動作に係り、同図(a),(b) は、そのフローチャートを示し、同図(c) は、同図(b) の動作中に表示されるリモコン操作画面の一例を示した図である。
【００６５】
尚、本動作においても、メモリ９のことを記録メディア９と称す。
本動作では、同図(a) に示したように、テレビジョン受像機２を制御するコマンド信号を生成するために、まず、テレビジョン受像機２のメーカーを選択する動作が行われる。
【００６６】
この動作では、まず、内部メモリであるＲＯＭ（不図示）又は記録メディア９に格納されているメーカーリストが読み出される（Ｓ１６）。
続いて、読み出されたメーカーリストが、表示／音声再生部１０により表示される（Ｓ１７）。
【００６７】
続いて、表示されているメーカーリストの中から、操作部３を介した利用者の指示に応じて所望のメーカーが選択される（Ｓ１８）。
このようにして、制御対象となるテレビジョン受像機２のメーカーが選択されると、続いて、テレビジョン受像機２を制御するコマンド信号を生成し、送信する動作が行われるが、ここでは、その一例として、同図(b) に示したような、テレビジョン受像機２のチャンネル切り替え制御に係るコマンド信号を生成し、送信する動作について説明する。
【００６８】
この動作では、まず、表示／音声再生部１０により、リモコン操作画面が表示される（Ｓ１９）。
同図(c) は、このときに表示されるリモコン操作画面の一例を示した図であり、テレビジョン受像機２のチャンネル切り替え制御を行う際に表示されるリモコン操作画面を示している。このリモコン操作画面上の”１”乃至”１２”は、テレビジョン受像機２のチャンネルに対応する選択項目であり、カーソルキー操作に応じて一の選択項目を選択することができるようになっている。尚、同図(c) の例では、リモコン操作画面上の”１”が選択されている状態を示している。
【００６９】
このようなリモコン操作画面が表示された上で、続いて、カーソルキー操作に応じて、所望の選択項目が選択される（Ｓ２０）。尚、この所望の選択項目の選択により、後に生成されるコマンド信号が選択されたことにもなる。
【００７０】
続いて、ＯＫキーが押下されると、Ｓ２０で選択された選択項目が取得される（Ｓ２１）。
続いて、Ｓ２１で取得された選択項目と前述のＳ１８で選択されたメーカーとに基づいて、テレビジョン受像機２に送信可能な形式のデータであって、Ｓ２１で取得された選択項目に応じた、テレビジョン受像機２を制御するコマンド信号が、コマンド生成部５により生成される（Ｓ２２）。
【００７１】
続いて、Ｓ２２で生成されたコマンド信号が送信部６によりテレビジョン受像機２へ無線送信される（Ｓ２３）。
そして、このようにして無線送信されたコマンド信号が、テレビジョン受像機２の受信部１３により受信されると、そのコマンド信号がコマンド解析部１４によりコマンド解析され、その解析結果がコントローラ２へ送られ、コントローラ２によって、コマンド信号に応じた制御が行われる。
【００７２】
例えば、同図(c) のリモコン操作画面において、カーソルキー操作に応じて選択項目”１”が選択され、それがＯＫキーの押下により取得されたときには、テレビジョン受像機２のチャンネルを”１”に変更するコマンド信号が生成され、これがテレビジョン受像機２に送信されることで、テレビジョン受像機２のチャンネルが”１”に変更されるようになる。
【００７３】
尚、リモコン操作画面として、テレビジョン受像機２のチャンネルの他、ボリューム（音量）や電源のＯＮ／ＯＦＦ等を選択項目として表示させ、前述と同様にして、キー操作により所望の選択項目が選択・取得され、その選択項目に対応するコマンド信号が生成・送信されることで、テレビジョン受像機２のボリュームや電源等を制御することも可能である。
【００７４】
このようにして行われる動作により、利用者は、通信端末装置１を介して、テレビジョン受像機２を制御することが可能になり、通信端末装置１をテレビジョン受像機２のリモコンとして利用すること等が可能になる。
【００７５】
以上が、第１の構成に係る、通信端末装置１とテレビジョン受像機２を含む情報取得システムの構成及び動作である。
次に、本発明の第２の構成に係る、通信端末装置とテレビジョン受像機を含む情報取得システムについて説明する。
【００７６】
図６は、その情報取得システムの機能ブロック図である。
同図では、図１に示した第１の構成に係る情報取得システムと同一の構成については、同一の符号を付して示してある。
【００７７】
この第２の構成に係る情報取得システムと、第１の構成に係る情報取得システムとが異なる点は、第２の構成に係る通信端末装置１ａが、更に、デコーダ８により抽出された情報が一時的に記憶（格納）されるバッファ２６を備えた点であり、その他の構成は同じである。このような構成の違いにより、メモリ９には、デコーダ８により抽出された情報が直接記憶されるのではなく、バッファ２６を介して、そのバッファ２６に一時記憶されている情報が記憶されるようになる。また、表示／音声再生部１０は、バッファ２６に一時記憶されている情報も、表示等することができるようになっている。
【００７８】
このような構成の情報取得システムにより行われる動作は、第１の構成に係る情報取得システムにより行われる動作とほぼ同じであるが、テレビジョン受像機２から、放送を構成する情報を取得する情報取得動作が多少異なる。
【００７９】
すなわち、第２の構成に係る情報取得システムでは、通信端末装置１ａは、テレビジョン受像機２から無線送信される、放送を構成する情報を含む信号を受信し、その受信した信号に含まれる情報を、実際に利用者がテレビジョン受像機２を介して視聴する放送に対して遅れて、表示／音声再生部１０により表示等させることができるものであり、また、その表示等が行われているときに、キャプチャーボタンが押下されることによって、その表示等されている情報をメモリ９に記憶させることができるものである。
【００８０】
ここで、このような、通信端末装置１ａがテレビジョン受像機２から放送に係る情報を取得する情報取得動作について説明する。
但し、本動作において、利用者がテレビジョン受像機２を介して放送を視聴しているときには、テレビジョン受像機２は、常に、その放送を構成する情報を含む信号を送信部２４から無線送信しているものとする。
【００８１】
図７及び図８は、その情報取得動作に係るフローチャートを示した図である。
図７は、テレビジョン受像機２から無線送信された信号を受信し、該信号に含まれる情報を表示／音声再生部１０に表示等させる動作を示したものである。
【００８２】
本動作では、まず、通信端末装置１ａにおいて、受信開始キー（操作部３に含まれるキー）がＯＮされたか否かが判定される（Ｓ２４）。
このＳ２４の判定結果がＯＦＦの場合には、本判定動作が繰り返し行われるが、これがＯＮの場合には、続いて、テレビジョン受像機２から無線送信される、放送を構成する情報を含む信号が、受信部７により受信されているか否かが判定される（Ｓ２５）。
【００８３】
このＳ２５の判定結果がＮｏの場合にはＳ２４へ戻るが、これがＹｅｓの場合には、続いて、受信部７により放送を構成する情報を含む信号の受信が行われ、その信号がデコーダ８によりデコードされると共に、その信号から放送を構成する情報が抽出される（Ｓ２６）。また、抽出された情報が、前述の放送本体情報と付加情報である場合、又は前述の視聴情報と付属情報である場合には、これらが関連付けされる（Ｓ２７）。
【００８４】
続いて、バッファ２６の空メモリ領域の有無のチェックが行われ、空メモリ領域が無い場合には、バッファ２６に格納されている情報が、データシフトアップされ、バッファ２６に空メモリ領域が確保される（Ｓ２８）。尚、バッファ２６は、いわゆるＦＩＦＯ（first in first out）形式を採用しており、空メモリ領域が無いときに新たな情報の格納が行われようとする場合には、このＳ２８のように、データシフトアップが行われ、空メモリ領域が確保される。
【００８５】
続いて、Ｓ２６で抽出された情報又はＳ２７で関連付けされた情報がバッファ２６に格納される（Ｓ２９）。
続いて、バッファ２６に格納されている情報のうち、最先に格納されたものが読み出され、その情報が表示／音声再生部１０により表示等され（Ｓ３０）、Ｓ２４へ戻る。
【００８６】
ここで、このＳ３０の動作を、Ｓ３１乃至Ｓ３７を用いて詳細に説明する。
Ｓ３０の動作では、まず、バッファ２６に情報が格納されているか否かが判定される（Ｓ３１）。
【００８７】
このＳ３１の判定結果がＮｏの場合には、本判定動作が繰り返し行われるが、これがＹｅｓの場合には、続いて、バッファ２６に格納されている情報の中から最先に格納された情報が取得される（Ｓ３２）。前述したように、バッファ２６はＦＩＦＯ形式を採用しており、このＳ３２では、最先に格納された情報が取得されるものである。
【００８８】
続いて、取得された情報に、例えば静止画情報、動画情報、テキスト情報等といった表示データが含まれているか否かが判定され（Ｓ３３）、その判定結果がＹｅｓの場合には、表示／音声再生部１０によりその表示データが例えば液晶モニタに表示され（Ｓ３４）、その判定結果がＮｏの場合にはＳ３４をスキップする。
【００８９】
続いて、Ｓ３２で取得された情報に、例えば音声情報等といった音声データが含まれているか否かが判定され（Ｓ３５）、その判定結果がＹｅｓの場合には、表示／音声再生部１０によりその音声データが音声再生され（Ｓ３６）、その判定結果がＮｏの場合にはＳ３６をスキップする。
【００９０】
続いて、バッファ２６に格納されている情報が、データシフトアップされ、バッファ２６に空メモリ領域が確保され（Ｓ３７）、リターンする。
図８は、図７に示した動作により、放送を構成する情報が表示／音声再生部１０により表示等されているときに、キャプチャーボタンが押下されることによって、その表示等されている情報をメモリ９に記憶させる動作を示したものである。
【００９１】
本動作では、まず、バッファメモリ２６に情報が格納されているか否かが判定される（Ｓ３８）。
このＳ３８の判定結果がＹｅｓの場合には、バッファ２６に格納されている情報の中から、最先に格納されたもの、すなわち、現在表示／音声再生部１０により表示等されている情報が取得され（Ｓ３９）、その取得された情報が記録メディア９に保存され（Ｓ４０）、本動作が終了する。
【００９２】
一方、このＳ３８の判定結果がＮｏの場合には、表示／音声再生部１０によりデータ無しの旨が表示され（Ｓ４１）、本動作が終了する。
このようにして行われる動作により、実際に利用者が視聴している放送に対して遅れて、放送を構成する情報が通信端末装置１ａに表示等されるようになるので、利用者がテレビジョン受像機２を介して放送を視聴しているときに、たまたま放送を見逃した或いは聞き逃した場合であっても、その見逃した或いは聞き逃した放送を通信端末装置１ａにより視聴することができ、また、必要に応じて、その遅れて表示等されている放送を構成する情報を取得することができる。
【００９３】
以上が、第２の構成に係る、通信端末装置１ａとテレビジョン受像機２を含む情報取得システムの構成及び動作である。
次に、図１に示した第１の構成に係る通信端末装置１（又は図６に示した第２の構成に係る通信端末装置１ａでもある）の具体的構成例を簡単に示しておく。
【００９４】
図９は、通信端末装置１（又は１ａ）の具体的構成例を示した図である。
同図において、ＣＰＵ３１、ＲＯＭ３２、メモリ３３、Ｉ／Ｆ３４、操作キー３５、Ｉ／Ｆ３６、デコーダ３７、エンコーダ３８、Ｉ／Ｆ３９は、何れもバス４０に接続されており、バス４０を介してデータの送受が行われる。
【００９５】
ＣＰＵ３１は、ＲＯＭ３２に格納されているコントロールプログラムを読み出し実行することにより、当該装置全体の動作を制御するものであり、前述のコントローラ４等に対応するものである。尚、ＲＯＭ３２には、このコントロールプログラムの他、前述の送信先情報やメーカーリスト等も記憶されている。メモリ３３は、ＣＰＵ３１による制御処理の実行のためのワークエリア等として使用されるものであり、前述のバッファ２６に対応するものである。Ｉ／Ｆ３４は、記録メディア（メモリカード）４１との間でデータの送受を行うためのインターフェースである。記録メディア４１は、前述のメモリ９に対応するものである。尚、本装置では、記録メディア４１が着脱自在に構成されている。操作キー３５は、利用者から各種の指示を受け付けるためのものであり、前述の操作部３に対応するものである。Ｉ／Ｆ３６は、表示用液晶モニタ４２にデータを送るためのインターフェースである。表示用液晶モニタ４は、表示データを表示するものであり、前述の表示／音声再生部１０に対応する構成の一部である。デコーダ３７はデコードを行うものであり、前述のデコーダ８に対応する構成の一部である。エンコーダはエンコードを行うものである。Ｉ／Ｆ４３は、通信ユニット４４との間でデータの送受を行うためのインターフェースである。通信ユニット４４は、テレビジョン受像機２等の外部装置との間で信号の送受信を行うものであり、前述の送信部６及び受信部７に対応する構成である。Ｉ／Ｆ３９は、音声出力ユニット４５に音声データを送るためのインターフェースである。音声出力ユニット４５は、音声データを音声再生するものであり、前述の表示／音声再生部１０に対応する構成の一部である。
【００９６】
以上のような構成によって、図１に示した第１の構成に係る通信端末装置１（又は、図６に示した第２の構成に係る通信端末装置１ａ）を具現化することができる。
【実施例２】
【００９７】
図１０は、本発明の実施例２に係る、撮像機能付き通信端末装置とテレビジョン受像機を含む情報取得システムの機能ブロック図である。
同図において、撮像機能付き通信端末装置１ｃは、図１に示した通信端末装置１が更に画像を撮像する撮像部５１を備えた構成であり、その他の構成は図１の通信端末装置１と同じである。これに伴い、メモリ９には、撮像部５１により撮像された画像も記憶されるようになる。また、表示／音声再生部１０は、撮像部５１により撮像された画像、或いはメモリ９に記憶された画像をも表示することができるようになっている。
【００９８】
一方、テレビジョン受像機２は、図１に示したテレビジョン受像機２と同じ構成である。
次に、本実施例に係る情報取得システムの各種動作について説明する。
【００９９】
前述の通り、本実施例に係る情報取得システムは、通信端末装置１ｃが撮像部５１を備えている点を除いては、図１に示した第１の構成に係る情報取得システムと同じ構成を有している。従って、本実施例に係る情報取得システムは、第１の構成に係る情報取得システムが行う動作と同様の動作を行うことができるのは勿論であり、加えて、撮像部５１を備えていることに伴って通信端末装置１ｃは次のような各種動作も行う。
【０１００】
通信端末装置１ｃは、画像取得を可能にする画像取得モード、及びテレビジョン受像機２により無線送信された信号に含まれる情報を取得可能にする情報取得モード等といった動作モードを備えており、操作部３を介した利用者の指示に応じて、一の動作モードが選択・設定されるようになっている。
【０１０１】
情報取得モードが選択・設定されたときには、前述の第１の構成に係る情報取得システムにおいて説明した情報取得動作が可能になるものである。
一方、画像取得モードが選択・設定されたときには、いわゆるデジタルカメラのような、画像を撮像する動作が可能になるものである。この画像取得モードが設定されているときには、利用者が操作部３を介して撮像指示を行うことによって、撮像部５１により画像が撮像され、撮像された画像がメモリ９に格納されると共に、その画像が表示／音声再生部１０により表示される。また、必要に応じて、操作部３の操作により、メモリ９に格納された画像を読み出し、表示／音声再生部１０に表示させることも可能である。また、メモリ９に格納された画像は、図２を用いて説明したように、外部装置に送信することも可能である。
【０１０２】
尚、テレビジョン受像機２により無線送信された信号が受信部７に受信されている場合には、設定されている動作モードを、自動的に情報取得モードに選択・設定するようにすることも可能である。
【０１０３】
このようにして行われる動作により、利用者は、更に、通信端末装置１ｃを、いわゆるデジタルカメラとして利用することが可能になる。
次に、本実施例に係る通信端末装置１ｃの具体的構成例を簡単に示しておく。
【０１０４】
図１１は、通信端末装置１ｃの具体的構成例を示した図である。
同図に示した通信端末装置１ｃは、図９に示した通信端末装置１（又は１ａ）が撮像機能を有したものである。尚、図１１では、図９の通信端末装置１（又は１ａ）と同一の構成については、同一の符号を付して示してある。
【０１０５】
図１１において、通信端末装置１ｃは、前述の撮像部５１に対応する撮像機能に係る構成として、レンズ５２、コントローラ５３、ＣＣＤ（ Charge Coupled Device ）５４、ＡＭＰ（ Amplifier ）部５５、Ａ／Ｄ変換部５６、センサ５７、及びＡＦ（ Automatic Focus ）／ＡＥ（ Automatic Exposure ）部５８等を有し、コントローラ５３、Ａ／Ｄ変換部５６、及びＡＦ／ＡＥ部５８は、バス４０に接続されている。この撮像機能に係る構成では、センサ５７からの情報に基づき、ＡＦ／ＡＥ部５８によるＡＦ／ＡＥ処理が行われ、コントローラ５３によりレンズ５２が制御され、そのレンズ５２によって結像された被写体像がＣＣＤ５４によって光電変換され、その光電変換された画像信号がＡＭＰ部５５を介してＡ／Ｄ変換部５６に入力されることによりデジタル変換された画像信号が得られ、そのデジタル変換された画像信号がＣＰＵ（ Main ）３１により種々の画像処理が行われることによって、所定の形式の画像データが得られるようになっている。
【０１０６】
また、バス４０には、ＣＰＵ（ Sub ）３１ａと操作キー／表示ＬＣＤ５９等が接続されたバス４０ａも接続されている。このように、通信端末装置１ｃは、ＣＰＵ（ Main ）３１の他にＣＰＵ（ Sub ）３１ａを有したデュアルＣＰＵの構成を有し、各々が役割を分担して、本装置全体の動作を制御するようになっている。ＣＰＵ（ Sub ）３１ａは、例えば、操作キー／表示ＬＣＤ５９を制御して、前述の動作モード等に係る操作キーの受け付けや表示ＬＣＤへの表示等に係る動作を制御するものである。その他の構成については、図９の通信端末装置１（又は１ａ）の構成と同じである。
【０１０７】
以上のような構成によって、図１０に示した通信端末装置１ｃを具現化することができる。
以上、本発明の通信端末装置、情報取得システム、及び情報取得方法について詳細に説明したが、本発明は上記実施形態に限定されず、本発明の要旨を逸脱しない範囲において、各種の改良及び変更を行っても良いのはもちろんである。
【図面の簡単な説明】
【０１０８】
【図１】本発明の第１の構成に係る、通信端末装置とテレビジョン受像機を含む情報取得システムの機能ブロック図である。
【図２】本発明の第１の構成に係る、メモリに記憶された情報を他の装置へ送信する動作に係るフローチャートを示した図である。
【図３】図２のＳ１の選択／取得動作に係るフローチャートを示した図である。
【図４】(a) は図２のＳ１の他の選択／取得動作に係るフローチャートを示した図、(b) は(a) の動作中に表示される選択画面の一例を示した図である。
【図５】(a),(b),(c) は、本発明の第１の構成に係り、(a),(b) は、通信端末装置がテレビジョン受像機を制御する動作に係るフローチャートを示した図、(c) は(b) の動作中に表示されるリモコン操作画面の一例を示した図である。
【図６】本発明の第２の構成に係る、通信端末装置とテレビジョン受像機を含む情報取得システムの機能ブロック図である。
【図７】本発明の第２の構成に係る、テレビジョン受像機から無線送信された信号に含まれる情報を表示／音声再生部に表示等させる動作に係るフローチャートを示した図である。
【図８】本発明の第２の構成に係る、表示等されている情報をメモリに記憶させる動作に係るフローチャートを示した図である。
【図９】本発明の第１の構成或いは第２の構成に係る通信端末装置の具体的構成例を示した図である。
【図１０】本発明の実施例２に係る、撮像機能付き通信端末装置とテレビジョン受像機を含む情報取得システムの機能ブロック図である。
【図１１】本発明の実施例２に係る、撮像機能付き通信端末装置の具体的構成例を示した図である。
【符号の説明】
【０１０９】
１      通信端末装置
２      テレビジョン受像機
３      操作部
４      コントローラ
５      コマンド生成部
６      送信部
７      受信部
８      デコーダ
９      メモリ
１０    表示／音声再生部
１１    通信インターフェース
１２    コネクタ
１３    受信部
１４    コマンド解析部
１５    コントローラ
１６    アンテナ
１７    受信部
１８    音声処理部
１９    音声再生部
２０    映像処理部
２１    映像表示部
２２    情報抽出部
２３    エンコーダ
２４    送信部
２５    カーソル
２６    バッファ
３１    ＣＰＵ
３２    ＲＯＭ
３３    メモリ
３４    Ｉ／Ｆ
３５    操作キー
３６    Ｉ／Ｆ
３７    デコーダ
３８    エンコーダ
３９    Ｉ／Ｆ
４０    バス
４１    記録メディア（メモリカード）
４２    表示用液晶モニタ
４３    Ｉ／Ｆ
４４    通信ユニット
４５    音声出力ユニット
５１    撮像部
５２    レンズ部
５３    コントローラ
５４    ＣＣＤ
５５    ＡＭＰ部
５６    Ａ／Ｄ変換部
５７    センサ
５８    ＡＦ／ＡＥ部
５９    操作キー／表示ＬＣＤ
【図１】
2006101356.tif 000003
【図２】
2006101356.tif 000004
【図３】
2006101356.tif 000005
【図４】
2006101356.tif 000006
【図５】
2006101356.tif 000007
【図６】
2006101356.tif 000008
【図７】
2006101356.tif 000009
【図８】
2006101356.tif 000010
【図９】
2006101356.tif 000011
【図１０】
2006101356.tif 000012
【図１１】
2006101356.tif 000013